(57)【要約】      （修正有）【課題】ディスペンサーの操作を客自身が行うシステムとなっているセルフサービスの店舗では、店員が客の操作を常に監視できるものではなく、時には、清掃された部位に客の手や指が触れることもある。このことから、特にディスペンサーの客が触れてしまう確率が高い出口ノズルの清潔度を維持することができるディスペンサーを提供する。【解決手段】ディスペンサーに、殺菌作用を有する光を照射できる電球やＬＥＤ等の任意の発光体を備える殺菌装置を設け、その殺菌装置の発光体（殺菌ＬＥＤ２）を出口ノズル１に設けて直接出口ノズル１内に照射する。【選択図】図１
0003118417.tif 000002
【実用新案登録請求の範囲】
【請求項１】
少なくとも飲料水を供給するディスペンサーに殺菌作用を有する任意の照明手段からなる殺菌装置が設けられており、その殺菌装置によって出口ノズルの少なくとも供給路内の雑菌の繁殖を阻止できるようになっていることを特徴とするディスペンサー
【請求項２】
前記照明手段が供給路内に設けられていることを特徴とする請求項１のディスペンサー
【請求項３】
前記照明手段が供給路の周壁とほぼ面一に設けられていることを特徴とする請求項１のディスペンサー
【請求項４】
前記照明手段が供給路の周壁内に設けられており、その設置部位の少なくとも供給路側が発光体から照射された光が通過可能になっていることを特徴とする請求項１のディスペンサー
【請求項５】
前記照明手段が出口ノズルの外部から着脱できるようになっていることを特徴とする請求項４のディスペンサー
【請求項６】
前記照明手段が複数設けられており、それらが供給路の所定の部位に配設されていることを特徴とする請求項１のディスペンサー
【請求項７】
前記照明手段と共に、装飾用の照明手段の少なくとも２種類の照明手段が設けられていることを特徴とする請求項１のディスペンサー
【請求項８】
前記装飾用の照明手段が供給操作によって任意のパターンで発光することを特徴とする請求項７のディスペンサー
【請求項９】
前記殺菌装置が、任意の照明手段から照射された光を光ケーブルによって案内して供給路に照射するようになっているものであることを特徴とする請求項１のディスペンサー
【請求項１０】
前記光ケーブルの光照射部が供給路の周壁とほぼ面一に設けられていることを特徴とする請求項９のディスペンサー
【請求項１１】
前記光ケーブルの光照射部が供給路の周壁内に設けられており、その設置部位の少なくとも供給路側が発光体から照射された光が通過可能になっていることを特徴とする請求項９のディスペンサー
【請求項１２】
前記光ケーブルが出口ノズルの外部から着脱できるようになっていることを特徴とする請求項９のディスペンサー
【請求項１３】
前記照明手段が任意の発光ダイオードまたは任意の電球からなることを特徴とする請求項１のディスペンサー
【請求項１４】
前記出口ノズルの一部または全部が透明または半透明になっていることを特徴とする請求項１のディスペンサー
【請求項１５】
前記出口ノズルに殺菌装置が一体的に配設されていることを特徴とする請求項１のディスペンサー
【考案の詳細な説明】
【技術分野】
【０００１】
本考案は、飲料水等に用いられるディスペサーに関し、特に出口ノズルの少なくとも供給路内の雑菌の繁殖を阻止できる殺菌装置が設けられたディスペサーに関するものである。
【背景技術】
【０００２】
従来、ディスペンサーはレストランやファーストフード店をはじめとして多くの飲食店で用いられており、レバー等の操作によって収容する清涼飲料水やコーヒー等が所定の容器に注出される。
また、このディスペンサーはメーカー指定による内容で、店員が日常の動作点検と共に各部の清掃を実施している。
【考案の開示】
【考案が解決しようとする課題】
【０００３】
しかしながら、ディスペンサーの操作を客自身が行うシステムとなっているセルフサービスの店舗では、店員が客の操作を常に監視できるものではなく、時には、清掃された部位に客の手や指が触れてしまうこともある。
このことから、ディスペンサーの操作を店員が行う店舗に比べセルフサービスの店舗では、清掃箇所すなわち清涼飲料水やコーヒーが注出される出口ノズルの清潔度の低下が懸念されていた。
【０００４】
また、日常の動作点検と共に各部の清掃においても店員の技量に頼ることが多く、メーカーサイドでは確実にメーカー指定による内容で行われているかは分からないのが現状であり、そして、特に清潔度の低下が懸される出口ノズルの対策が切望されていた。
従って、本考案は上述した問題点に鑑みてなされたもので、特にディスペンサーの客が触れてしまう確率が高い出口ノズルの清潔度を維持することができるディスペンサーを提供することを目的とするものである。
【課題を解決するための手段】
【０００５】
本考案の要旨とするところは、少なくとも飲料水を供給するディスペンサーに殺菌作用を有する任意の照明手段からなる殺菌装置が設けられており、その殺菌装置によって出口ノズルの少なくとも供給路内の雑菌の繁殖を阻止できるようになっていることを特徴とするディスペンサーである。
【０００６】
本考案のディスペンサーを詳しく説明すると、清涼飲料水やコーヒー等を収容できるディスペンサーが特に適しているが、収容物を注出した後にディスペンサーの出口ノズルの少なくとも供給路内に残留物が残らないディスペンサーにも適応する。ディスペンサーは飲食物用のものに限定するものではなく、また、本説明においては任意のものを販売する自動販売機もディスペンサーに含む。
【０００７】
殺菌装置は、少なくとも殺菌（抗菌）作用を有する任意の照明手段から構成されている。その照明手段の電力はディスペンサー本体から供給するようにしてもよい。あるいは、電力をディスペンサー本体あるいは殺菌装置に設けた一次や二次電池等から供給するようにしてもよく、また、商用電力を利用してもよい。
勿論、殺菌装置には電力のＯＮ／ＯＦＦスイッチやパイロットランプ等の部材が設けられていてもよく、そして、その部材が殺菌動作に直接関係ないものであってもよい。
【０００８】
任意の照明手段とは、具体的には発光ダイオード（ＬＥＤ）や電球であり、それらが、雑菌の繁殖を阻止できるように構成されているもので、具体的には紫外線を照射できるものである。すなわち、発光色が紫色のものである。
そして、その照明手段による出口ノズル内の照明部位は、飲食物が通過する供給路内であると共に、雑菌が付着しやすい供給路の出口方向すなわちノズルの開口方向まで照明できるようにするのが望ましい。従って、照明手段は供給路内に設けるのがよい。
【０００９】
その照明手段を供給路内に設ける際、飲食物の通過に支障がなければ供給路内に配設すればよいが、飲食物の通過あるいは飲食材料の混合等に支障が生じる場合は、照明手段を供給路の周壁とほぼ面一に設けるのがよい。すなわち、発光体または照射部を、飲食物の通過あるいは飲食材料の混合に支障がでない程度に供給路の周壁とほぼ面一に設ける。
また、照明手段を供給路の周壁内に設けて、その照明手段の設置部位の少なくとも供給路側を発光体から照射された光が通過できるように、透明あるいは殺菌作用が低下しない程度の半透明にしてもよい。そして、照明手段は出口ノズルの外部から着脱できるようにしてもよく、例えば、出口ノズルにその外面から供給路に向かう孔を設けると共にその孔の底部と供給路との間を透明にして、その孔に照明手段を固定可能に挿入するようにしてもよい。
【００１０】
さらには、照明手段を複数設けてもよい。複数設ける目的として光量をアップさせる場合の一例としては、照明手段をほぼ隣接状態で供給路に沿って連続的に設けたり、また、供給路の周囲にほぼ隣接状態で設けるようにしてもよい。そして、出口ノズル内の供給路に点在させるようにしてもよく、雑菌の繁殖の阻止に効率よく働くように設ければよい。
また、殺菌のための照明手段と共に、装飾用の照明手段の少なくとも２種類の照明手段を設けてもよい。すなわち、ディスペンサーの操作時や待受けの時に装飾用の照明手段を任意のパターンで発光や点滅等させて、ディスペンサーの操作を楽しませたり、また、待受けの際の集客効果を上げるようにしてもよい。
【００１１】
そして、殺菌装置の供給路内の照明形態としては、発光ダイオードや電球等の照明手段から照射された光を光ケーブルによって案内して供給路に照射するようにしてもよい。照明手段は、殺菌装置本体やディスペンサー本体またそれらから離れた場所に設置し、その場所から光ケーブルによって出口ノズルの供給路に案内するようにしてもよい。
【００１２】
その光ケーブルの光照射部を供給路内に設ける際、飲食物の通過に支障がなければ供給路内に配設すればよいが、飲食物の通過あるいは飲食材料の混合等に支障が生じる場合は、光照射部を供給路の周壁とほぼ面一に設けるのがよい。すなわち、光照射部を飲食物の通過あるいは飲食材料の混合に支障がでない程度に供給路の周壁とほぼ面一に設ける。
また、光照射部を供給路の周壁内に設けて、その光照射部の設置部位の少なくとも供給路側を光照射部から照射された光が通過できるように、透明あるいは殺菌作用が低下しない程度の半透明にしてもよい。そして、光照射部は出口ノズルの外部から着脱できるようにしてもよく、例えば、出口ノズルにその外面から供給路に向かう孔を設けると共にその孔の底部と供給路との間を透明にして、その孔に光照射部を固定可能に挿入するようにしてもよい。
【００１３】
そして、殺菌装置の形態もとくに限定するものではない。例えば、出口ノズルに一体的に設けたり、また、殺菌装置本体をディスペンサーに設けて照明手段を出口ノズルに設けるようにしてもよく、所望の形態とすればよい。
出口ノズルの形態も特に限定するものではなく、全体を透明や半透明に形成してもよい。その場合、照明手段から照射される紫外線光がディスペンサーの操作者の目に入らないようにしなければならない。
【００１４】
また、出口ノズルの供給路が複数有するディスペンサー、具体的には、シロップと水等の液体を混合させて供給するものにおいても、照明手段の配設位置も特に限定するものではなく、それぞれの供給路内に光を照射可能な位置に設けるようにしたり、あるいは、それぞれの供給路内に設けたりしてもよい。さらには、どちらかの供給路（供給路が２つ以上有する場合は選定する）を透明または半透明にし、その供給路外から光が入るようにしてもよい。
【００１５】
従って、本考案のディスペンサーは以上のように構成されているので、出口ノズルの供給路内は殺菌作用を有する照明手段によって光が照射（照明）されているので、常に雑菌の繁殖が阻止されている状態に保持される。
そして、光の照射部が出口ノズル内にあるので、光が減光することもなく殺菌効率を高く維持できる。
【考案の効果】
【００１６】
本考案のディスペンサーは以上のように構成されているので、出口ノズルは常に殺菌状態に置かれており、従って、セルフサービス店舗での使用の際に客の手や指が出口ノズに触れた場合も、客の手や指に付いた雑菌が出口ノズで繁殖することがなく、清潔度を常に維持することができる。
そして、ディスペンサーの操作を店員が行う店舗においても出口ノズルが常に殺菌状態に置かれているため、出口ノズでの雑菌の繁殖を阻止することができ、清潔度を常に維持することができる。
【考案を実施するための最良の形態】
【００１７】
本考案のディスペンサーを以下図面に従って説明すると、図１は、出口ノズル部材の一部切欠き側面図であり、本図は、出口ノズル部材に殺菌ＬＥＤ２を一体的に配設すると共に、殺菌ＬＥＤ２を出口ノズル１の内壁１ｃより突出させて２箇所に配設したものを示す。１は出口ノズルで、ディスペンサーの飲料水等の供給部に装着される。１ａはその供給部の水供給路に接続される接続口、１ｂは出口ノズル１内を通過した飲料水が放出される出口、１ｃは出口ノズル１内の内壁である。２は殺菌ＬＥＤで、紫外線すなわち紫色の光を照射可能になっている。図では示していないが、殺菌ＬＥＤ２には任意の形態また方法によって電力が供給されるようになっている。
図２は、図１の出口ノズル部材の平面図である。
【００１８】
図３は、照明の配設例を示す出口ノズル部材の断面図であり、本図は、出口ノズル部材に殺菌ＬＥＤ２を一体的に配設すると共に、殺菌ＬＥＤ２の先端を出口ノズル１の内壁１ｃとほぼ面一にして２箇所に配設したものを示す。１は出口ノズル、１ａは接続口、１ｂは出口、１ｃは内壁、２は先端を出口ノズル１の内壁１ｃとほぼ面一にした殺菌ＬＥＤ、２ｄは殺菌ＬＥＤの電源ケーブルである。
図４は、図３の出口ノズル部材の平面図で、（ａ）図は、出口ノズル部材の平面図あり、（ｂ）図は、殺菌ＬＥＤ部位の拡大図である。
【００１９】
図５は、照明の配設例を示す出口ノズル部材の断面図であり、本図は、出口ノズル部材に殺菌ＬＥＤ２を一体的に配設すると共に、殺菌ＬＥＤ２を出口ノズル１の内壁１ｃ内の２箇所以上に埋設し、且つ内壁１ｃの殺菌ＬＥＤ２の埋設部位を透明にしたものを示す。１は出口ノズル、１ａは接続口、１ｂは出口、１ｃは内壁、１ｄは窓で、殺菌ＬＥＤ２から照射された殺菌光の少なくとも殺菌効果を有する量が通過できるようになっている窓。２は出口ノズル１の内壁１ｃ内に埋設された殺菌ＬＥＤ、２ｄは殺菌ＬＥＤの電源ケーブルである。
図６は、図５の出口ノズル内を示す斜視図である。
【００２０】
図７は、照明の配設例を示す出口ノズル部材の断面図であり、本図は、出口ノズル部材に立方形の殺菌ＬＥＤ２を一体的に配設すると共に、殺菌ＬＥＤ２を出口ノズル１の内壁１ｃ内の２箇所以上に埋設し、且つ内壁１ｃの殺菌ＬＥＤ２の埋設部位を透明にしたものを示す。１は出口ノズル、１ａは接続口、１ｂは出口、１ｃは内壁、１ｄは窓で、殺菌ＬＥＤ２から照射された殺菌光の少なくとも殺菌効果を有する量が通過できるようになっている窓。２は出口ノズル１の内壁１ｃ内に埋設された殺菌ＬＥＤ、２ｄは殺菌ＬＥＤの電源ケーブルである。
図８は、図７の出口ノズル内を示す斜視図である。
【００２１】
図９は、照明部材を出口ノズル部材に着脱可能にした一例を示す図であり、本図は、出口ノズル部材に殺菌ＬＥＤ２を着脱可能に配設すると共に、殺菌ＬＥＤ２を２箇所以上に配設したものを示す。１は出口ノズル、１ａは接続口、１ｂは出口、１ｃは内壁、１ｄは殺菌ＬＥＤ２から照射された殺菌光の少なくとも殺菌効果を有する量が通過できるようになっている窓、１ｅは殺菌ＬＥＤ２を備えるライトＡＳＳＹ２ａの装着部である。２は殺菌ＬＥＤ、２ａは殺菌ＬＥＤ２を備えるライトＡＳＳＹ、２ｂは電源ケーブル２ｄを備えるコネクタで、ライトＡＳＳＹ２ａに接続して殺菌ＬＥＤ２に電力を供給する。２ｃはコネクタ２ｂに備える抜け防止のための固定爪、２ｄは殺菌ＬＥＤの電源ケーブルである。
図１０は、図９の出口ノズル部材から照明部材を取外した状態を示す図で、すなわち、出口ノズル１の装着部１ｅからライトＡＳＳＹ２ａを抜いた状態を示しているものである。
図１１は、図１０の状態から照明部を分離した状態を示す図で、すなわち、照明部であるライトＡＳＳＹ２ａとコネクタ２ｂを分離した状態を示しているものである。従って、ライトＡＳＳＹ２ａの交換が可能となる。
【００２２】
図１２は、装飾用照明を付加した出口ノズル部材の一例を示す側面図であり、１は出口ノズル、１ａは接続口、１ｂは出口、３は殺菌装置、３ｂは任意の発光所また点滅等をする装飾用ＬＥＤで、装飾用ＬＥＤ３ｂは出口ノズル１の外方に向いて装着される。３ｃは殺菌ＬＥＤ３ａに電力を供給するための電源ケーブルである。また、出口ノズル内を殺菌する殺菌用ＬＥＤ３ａは図１３で示す。
図１３は、図１２の出口ノズル部材の断面図であり、本図は、出口ノズル部材に殺菌ＬＥＤ３ａおよび装飾用ＬＥＤ３ｂを一体的に配設すると共に、殺菌ＬＥＤ３ａを出口ノズル１の内壁１ｃ内の２箇所以上に埋設し、且つ内壁１ｃの殺菌ＬＥＤ３ａの埋設部位を透明にしたものを示す。
【００２３】
図１４は、装飾用照明を付加した他の形態の出口ノズル部材を示す断面図であり、本図の出口ノズル１は透明または半透明の素材から構成したものである。
図では、見易くするため殺菌ＬＥＤ３ａを対向させて図示しているが、殺菌ＬＥＤ３ａの配置は、そこから照射された光が直接ディスペンサーの操作者の目に入らないように配置するのが望ましい。また、図では示していないが、殺菌ＬＥＤ３ａからの光が操作者の目に向くようであれば、シール部材等の任意の遮蔽手段によって殺菌ＬＥＤ３ａからの光を遮蔽してもよい。
【００２４】
図１５は、出口ノズル部材の他の形態の断面図であり、本図は、光ファイバー４を用いてその先端から殺菌用の光を出口ノズル１内に照射する形態のもので、出口ノズル部材に光ファイバー４を一体的に配設すると共に、２箇所に配設したものを示す。１は出口ノズル、１ａは接続口、１ｂは出口、１ｃは内壁、１ｄは光ファイバー４の先端から照射された殺菌光の少なくとも殺菌効果を有する量が通過できるようになっている窓で、出口ノズル１内に湾曲状に突出する。４は光ファィバーで、図では複数本が示されているが、勿論、本数は任意である。４ａは光ケーブルで、光源のランプ４ｂから照射された光を案内するものである。
図１６は、図１５の出口ノズル内を示す斜視図で、図１７は、図１５の出口ノズル部材の平面図である。
【００２５】
図１８は、照射部材を出口ノズル部材に着脱可能にした一例を示す図であり、本図は、出口ノズル部材に光ファイバー４を着脱可能に配設すると共に、光ファイバー４を２箇所に配設したものを示す。１は出口ノズル、１ａは接続口、１ｂは出口、１ｃは内壁、１ｄは光ファイバー４の先端から照射された殺菌光の少なくとも殺菌効果を有する量が通過できるようになっている窓で、出口ノズル１内の内壁１ｃと面一になっている。１ｅは光ファイバー４を備える光ファィバーＡＳＳＹ４ｃの装着部である。４は光ファイバー、４ｃは光ファイバー４を備える光ファィバーＡＳＳＹ、４ｄは光ケーブル４ａを備える光コネクタで、光ファィバーＡＳＳＹ４ｃに接続して光源のランプ４ｂから照射された光を供給（案内）する。４ｅは光コネクタ４ｄに備える抜け防止のための固定爪である。
また、出口ノズル１の装着部１ｅからの光ファィバーＡＳＳＹ４ｃの取外し状態、そして、光ファィバーＡＳＳＹ４ｃと光コネクタ４ｄの分離状態は、前記図１０および図１１と同様になる。従って、光ファィバーＡＳＳＹ４ｃの交換が可能となる。
【００２６】
図１９は、照明の他の形態の配設例を示す図であり、本図の形態は、出口ノズル１内を殺菌する殺菌ランプ８をディスペンサー５本体の水供給路７に配設し、そこから出口ノズル内１に光を照射するようにしたものである。
１は出口ノズル、１ａは接続口、１ｂは出口、１ｃは内壁、５はディスペンサー、６はディスペンサー５に備えるシロップ供給ノズル、６ａはシロップが放出される出口、７はディスペンサー５に備える水供給路で、それは出口ノズル１の接続口１ａに接続する。８はディスペンサー５の本体側に配設された殺菌ランプ、８ａは殺菌ランプ８の電源ケーブルである。
【００２７】
図２０は、本考案に係わるディスペンサーの一例を示す図であり、本図は、殺菌用照明の電源等をディスペンサー５の内部に備えるものを示す。
５はディスペンサー、５ａは殺菌手段を備える出口ノズル１を収容する出口ノズル収容部、５ｂは商品を選択するための選択ボタン、９は飲料水等が注がれるコップである。
【００２８】
図２１は、本考案に係わる他の形態のディスペンサーの一例を示す図であり、本図は、殺菌用照明の電源等をディスペンサー５の外部に取り付けたものを示す。
５はディスペンサー、５ａは殺菌手段を備える出口ノズル１を収容する出口ノズル収容部、５ｂは商品を選択するための選択ボタン、９は飲料水等が注がれるコップ、１０は殺菌用照明の電源装置、１０ａは電源装置１０のＯＮ／ＯＦＦ用のスイッチ、２ｄは電力供給用の電源ケーブルである。
また、図では示していないが、図１５に示す光ファイバー４を用いたもので、電源装置１０内に光源（ランプ４ｂ）を備える形態のものは、電源ケーブル２ｄが光ケーブル４ａに変わり、その光ケーブル４ａによって光が電源装置１０から光ファイバー４まで供給（案内）される。
【００２９】
図２２は、本考案に係わる他の形態のディスペンサーの一例を示す図であり、本図は、殺菌用照明の電源等をディスペンサー５の外部に、且つ離れた所に設置したものを示す。
５はディスペンサー、５ａは殺菌手段を備える出口ノズル１を収容する出口ノズル収容部、５ｂは商品を選択するための選択ボタン、９は飲料水等が注がれるコップ、１１は殺菌用照明の電源装置、１１ａは電源装置１１のＯＮ／ＯＦＦ用のスイッチ、１１ｂは電力供給用の電源ケーブルである。
また、図では示していないが、図１５に示す光ファイバー４を用いたもので、電源装置１１内に光源（ランプ４ｂ）を備える形態のものは、電源ケーブル１１ｂが光ケーブル４ａに変わり、その光ケーブル４ａによって光が電源装置１１から光ファイバー４まで供給（案内）される。
【図面の簡単な説明】
【００３０】
【図１】出口ノズル部材の一部切欠き側面図
【図２】図１の出口ノズル部材の平面図
【図３】照明の配設例を示す出口ノズル部材の断面図
【図４】図３の出口ノズル部材の平面図
【図５】照明の配設例を示す出口ノズル部材の断面図
【図６】図５の出口ノズル内を示す斜視図
【図７】照明の配設例を示す出口ノズル部材の断面図
【図８】図７の出口ノズル内を示す斜視図
【図９】照明部材を出口ノズル部材に着脱可能にした一例を示す図
【図１０】図９の出口ノズル部材から照明部材を取外した状態を示す図
【図１１】図１０の状態から照明部を分離した状態を示す図
【図１２】装飾用照明を付加した出口ノズル部材の一例を示す側面図
【図１３】図１２の出口ノズル部材の断面図
【図１４】装飾用照明を付加した他の形態の出口ノズル部材を示す断面図
【図１５】出口ノズル部材の他の形態の断面図
【図１６】図１５の出口ノズル内を示す斜視図
【図１７】図１５の出口ノズル部材の平面図
【図１８】照射部材を出口ノズル部材に着脱可能にした一例を示す図
【図１９】照明の他の形態の配設例を示す図
【図２０】本考案に係わるディスペンサーの一例を示す図
【図２１】本考案に係わる他の形態のディスペンサーの一例を示す図
【図２２】本考案に係わる他の形態のディスペンサーの一例を示す図
【符号の説明】
【００３１】
１−出口ノズル，１ａ−接続口，１ｂ−出口，１ｃ−内壁，１ｄ−窓，１ｅ−装着部，２−殺菌ＬＥＤ，２ａ−ライトＡＳＳＹ，２ｂ−コネクタ，２ｃ−固定爪，２ｄ−電源ケーブル，３−殺菌装置，３ａ−殺菌ＬＥＤ，３ｂ−装飾用ＬＥＤ，３ｃ−電源ケーブル，４−光ファィバー，４ａ−光ケーブル，４ｂ−ランプ，４ｃ−光ファィバーＡＳＳＹ，４ｄ−光コネクタ，４ｅ−固定爪，５−ディスペンサー，５ａ−出口ノズル収容部，５ｂ−選択ボタン，６−シロップ供給ノズル，６ａ−出口，７−水供給路，８−殺菌ランプ，８ａ−電源ケーブル，９−コップ，１０−電源装置，１０ａ−スイッチ，１１−電源装置，１１ａ−スイッチ，１１ｂ−電源ケーブル
【図１】
0003118417.tif 000003
【図２】
0003118417.tif 000004
【図３】
0003118417.tif 000005
【図４】
0003118417.tif 000006
【図５】
0003118417.tif 000007
【図６】
0003118417.tif 000008
【図７】
0003118417.tif 000009
【図８】
0003118417.tif 000010
【図９】
0003118417.tif 000011
【図１０】
0003118417.tif 000012
【図１１】
0003118417.tif 000013
【図１２】
0003118417.tif 000014
【図１３】
0003118417.tif 000015
【図１４】
0003118417.tif 000016
【図１５】
0003118417.tif 000017
【図１６】
0003118417.tif 000018
【図１７】
0003118417.tif 000019
【図１８】
0003118417.tif 000020
【図１９】
0003118417.tif 000021
【図２０】
0003118417.tif 000022
【図２１】
0003118417.tif 000023
【図２２】
0003118417.tif 000024